(57)【要約】      （修正有）【課題】プラグとコンセントの組み合わせで直立式に電気接続するカスタマイズユニット式発光モジュールを提供する。【解決手段】レンズユニット４ｃは取り外し可能に発光ユニット２ｃと組み合わされる。プラグユニット６ｃはレンズユニット４ｃの側辺に設置されて発光ユニット２ｃに電気的に接続する。コンセントユニット８ｃはプラグユニット６ｃの底端に設置されてプラグユニット６ｃと電気的に接続する。また、発光ユニットは発光ユニット２ｃの２つの相反する側端に成形された２つの第１係止構造２２ｃを具備し、レンズユニット４ｃは中空透明構造４ｃ′及び中空透明構造４ｃ′と一体成形されたレンズ４０ｃを具備し、２つの第２係止構造４１ｃはそれぞれ中空透明構造内４ｃ′に成形され、発光ユニット２ｃは取り外し可能にレンズユニット４ｃの中空透明構造４ｃ′内に設置される。【選択図】図３Ａ
0003147703.tif 000002
【実用新案登録請求の範囲】
【請求項１】
直立式電気接続用のカスタマイズユニット式発光モジュールであって、
発光ユニットと、
取り外し可能に前記発光ユニットと組み合わせるレンズユニットと、
前記レンズユニットの側辺に設置されて前記発光ユニットに電気的に接続するプラグユニットと、
前記プラグユニットの底端に設置されて前記プラグユニットと電気的に接続するコンセントユニットと、を備えることを特徴とする直立式電気接続用のカスタマイズユニット式発光モジュール。
【請求項２】
前記発光ユニットは前記発光ユニットの２つの相反する側端から上方向に延伸させて出した２つの第１係止構造を具備し、前記レンズユニットはレンズと前記レンズの２つの相反する側端にそれぞれ成形された２つの第２係止構造を具備し、前記レンズユニットは前記２つの第１係止構造と前記２つの第２係止構造とを組み合わせて取り外し可能に前記発光ユニットの上方に設置し、前記発光ユニットは回路基板と、前記回路基板下端に位置して前記コンセントユニットと組み合さる係止構造と、前記回路基板上に電気的に設置した複数個の発光素子とを有し、前記２つの第１係止構造は前記回路基板の底端からそれぞれ上方向に延伸させ、各第１係止構造の外側は内凹係止部を有し、且つ前記発光ユニットは前記２つの内凹係止部を通じて逆さ方式で係止フック内に係止することを特徴とする請求項1に記載する直立式電気接続用のカスタマイズユニット式発光モジュール。
【請求項３】
前記プラグユニットは２個のプラグコネクタを具備し、各プラグコネクタはプラグ本体と、前記プラグ本体内に成形され前記レンズユニットを収納する第１収納スペースと、前記プラグ本体内に成形される第２収納スペースと、前記プラグ本体から下方向に延伸させた少なくとも一つのプラグピンとを具備し、前記発光ユニットは前記プラグピンの一端に電気接続し、前記コンセントユニットはそれぞれ前記２個のプラグコネクタに対応する２個のコンセントコネクタを具備し、各コンセントコネクタはコンセント本体と、前記コンセント本体の一側に設置され前記係止構造に適合する係止部と、前記コンセント本体内に設置されて電気仕様に対応するプラグピンを受けるための少なくとも一つのコンセント孔とを具備することを特徴とする請求項２に記載する直立式電気接続用のカスタマイズユニット式発光モジュール。
【請求項４】
前記２つの第１係止構造はそれぞれ２つの向かい合う第１スロット構造であり、前記２つの第２係止構造はそれぞれ２つの背にした第２スロット構造であり、前記２つの第１スロット構造と前記２つの第２スロット構造は互いに摺動可能に組合わさることを特徴とする請求項２に記載する直立式電気接続用のカスタマイズユニット式発光モジュール。
【請求項５】
前記発光ユニットは前記発光ユニットの２つの相反する側端に成形された２つの第１係止構造を具備し、前記レンズユニットはレンズ及びそれぞれ前記レンズの２つの相反する側端から下方向に延伸させて出した２つの第２係止構造を具備し、前記レンズユニットは前記２つの第１係止構造と前記２つの第２係止構造とを組み合わせて取り外し可能に前記発光ユニットの上方に設置し、前記発光ユニットは回路基板と、前記回路基板下端に位置して前記コンセントユニットと組み合さる係止構造と、前記回路基板上に電気的に設置した複数個の発光素子とを有し、前記２つの第１係止構造は前記回路基板の底端からそれぞれ上方向に延伸させ、各第２係止構造の外側は内凹係止部を有し、且つ前記レンズユニットは前記２つの内凹係止部を通じて逆さ方式で係止フックユニットの下端に係止することを特徴とする請求項1に記載する直立式電気接続用のカスタマイズユニット式発光モジュール。
【請求項６】
前記プラグユニットは２個のプラグコネクタを具備し、各プラグコネクタはプラグ本体と、前記プラグ本体内に成形され前記レンズユニットを収納する第１収納スペースと、前記プラグ本体内に成形される第２収納スペースと、前記プラグ本体から下方向に延伸させて出した少なくとも一つのプラグピンとを具備し、前記発光ユニットは前記プラグピンの一端に電気接続し、前記コンセントユニットはそれぞれ前記２個のプラグコネクタに対応する２個のコンセントコネクタを具備し、各コンセントコネクタはコンセント本体と、前記コンセント本体の一側に設置され前記係止構造に適合する係止部と、前記コンセント本体内に設置されて電気仕様に対応するプラグピンを受けるための少なくとも一つのコンセント孔とを具備することを特徴とする請求項５に記載する直立式電気接続用のカスタマイズユニット式発光モジュール。
【請求項７】
前記２つの第１係止構造はそれぞれ２つの向かい合う第１スロット構造であり、前記２つの第２係止構造はそれぞれ２つの背にした第２スロット構造であり、前記２つの第１スロット構造と前記２つの第２スロット構造は互いに摺動可能に組合わさることを特徴とする請求項５に記載する直立式電気接続用のカスタマイズユニット式発光モジュール。
【請求項８】
前記発光ユニットは前記発光ユニットの２つの相反する側端に成形された２つの第１係止構造を具備し、前記レンズユニットは中空透明構造と中空透明構造と一体成形されるレンズを具備し、前記２つの第２係止構造はそれぞれ前記中空透明構造内に成形され、前記発光ユニットは取り外し可能に前記レンズユニットの中空透明構造内に設置され、前記レンズは前記中空透明構造の頂部に設置されて前記発光ユニットの上方に位置し、前記２つの第２係止構造は前記中空透明構造の内表面に向かい合って成形され、前記カスタマイズユニット式発光モジュールはさらに、前記中空透明構造の下端に設置された第１係止台座と、前記第１係止台座下端に設置された第２係止台座とを含み、前記中空透明構造は前記第１係止台座の上端に係止され、且つ前記第１係止台座は前記第２係止台座の上端に係止され、前記発光ユニットは回路基板と、前記回路基板上に電気的に設置した複数個の発光素子とを具備し、前記２つの第１係止構造は前記回路基板の２つの相反する側端に形成され、前記第１係止構造の２つの相反する側端はそれぞれ２つの内凹係止部を具備し、前記レンズユニットは前記２つの内凹係止部を通じて逆さ方式で係止フックユニットの下端に係止することを特徴とする請求項1に記載する直立式電気接続用のカスタマイズユニット式発光モジュール。
【請求項９】
前記プラグユニットは２個のプラグコネクタを具備し、各プラグコネクタはプラグ本体と、前記プラグ本体内に成形され前記レンズユニットを収納する第１収納スペースと、前記プラグ本体から下方向に延伸させて出した少なくとも一つのプラグピンとを具備し、前記発光ユニットは前記プラグピンの一端に電気接続し、前記コンセントユニットはそれぞれ前記２個のプラグコネクタに対応する２個のコンセントコネクタを具備し、各コンセントコネクタはコンセント本体と、前記コンセント本体の一側に設置され前記係止構造に適合する係止部と、前記コンセント本体内に設置されて電気仕様に対応するプラグピンを受けるための少なくとも一つのコンセント孔とを具備することを特徴とする請求項８に記載する直立式電気接続用のカスタマイズユニット式発光モジュール。
【考案の詳細な説明】
【技術分野】
【０００１】
本考案は発光モジュールに関し、特にプラグとコンセントの組み合わせで直立式に電気接続するカスタマイズユニット式発光モジュールに関する。
【背景技術】
【０００２】
従来の照明設備は単純照明や室内環境の美化等に使用されるように、ユーザーが必要とする光源を提供するためのものであった。然しながら、従来の照明設備は何れも固定規格（固定された放熱効果、固定された発光効果、固定された投光角度）であるため、ユーザーが一旦選定するとその他の部品を交換することは最早不可能であった。従って、従来の照明設備には何等交換又は変化の余地すらなかったと言える。
【考案の開示】
【考案が解決しようとする課題】
【０００３】
本考案の主な目的は直立式電気接続用のカスタマイズユニット式発光モジュールを提供することにある。本考案の直立式電気接続用のカスタマイズユニット式発光モジュールはユーザーのニーズに応じて随意に交換可能な発光ユニットとレンズユニットを具備している。本考案の直立式電気接続用のカスタマイズユニット式発光モジュールは「必要とされる発光効果が異なる」ことに基いて前記発光ユニットを交換することができるだけでなく、「必要とされる投光角度が異なる」ことに基いて前記レンズユニットを交換することもできる。前記プラグユニット（プラグピン）と前記コンセントユニット（コンセント孔）の組合せにより本考案のカスタマイズユニット式発光モジュールが直立式（垂直方向）に電気接続することが可能となる。
【課題を解決するための手段】
【０００４】
上記の技術的問題を解決するために、本考案の構想に基いて、発光ユニット、レンズユニット、プラグユニット及びコンセントユニットからなることを特徴とする直立式電気接続用のカスタマイズユニット式発光モジュールを提供する。前記レンズユニットは取り外し可能に前記発光ユニットと組み合わさる。前記プラグユニットは前記レンズユニットの側辺に設置されて前記発光ユニットに電気的に接続する。前記コンセントユニットは前記プラグユニットの底端に設置されて前記プラグユニットと電気的に接続する。
【０００５】
本考案の所期の目的を達成するために採用した技術、手段、効果を一層理解できるよう、以下本考案に関連した詳細説明、図面を参照することとし、本考案の目的、特徴がこれにより深く且つ具体的に理解することができるものと確信している。然しながら、添付図面は参考と説明の用に供するに留まり、本考案に制限を課すものではない。
【考案を実施するための最良の形態】
【０００６】
［実施例］
図１Ａ乃至図１Ｄに示すように、本考案の第１実施例の直立式電気接続用のカスタマイズユニット式発光モジュールは、発光ユニット２ａ、レンズユニット４ａ、プラグユニット６ａ、コンセントユニット８ａからなる。
【０００７】
前記発光ユニット２ａは回路基板２０ａ、前記回路基板２０ａ下端に位置して前記コンセントユニット８ａと組み合さる係止構造Ｒａ、前記回路基板２０ａ上に電気的に設置した複数個の発光素子２１ａ及び前記回路基板２０ａの底端からそれぞれ上方向に延伸させた２つの第１係止構造２２ａを具備し、各第１係止構造２２ａの外側には内凹係止部２２０ａを具備する。また、前記発光ユニット２ａで使用する多数の発光素子２１ａはユーザーが必要とする発光効果に応じて、それぞれに異なる間隔、カラー、個数、効率の発光素子を選択することができる。
【０００８】
前記レンズユニット４ａはレンズ４０ａと前記レンズ４０ａの２つの相反する側端にそれぞれ形成された第２係止構造４１ａを具備し、前記２つの第２係止構造４１ａは前記２つの第１係止構造２２ａに対応する。従って、前記レンズユニット４ａは前記２つの第１係止構造２２ａと前記２つの第２係止構造４１ａとを組み合わせて取り外し可能に前記発光ユニット２ａの上方に設置する。第１実施例では、前記２つの第１係止構造２２ａはそれぞれ２つの向かい合う第１スロット構造であり、前記２つの第２係止構造４１ａはそれぞれ２つの背にした第２スロット構造であり、前記２つの第１スロット構造と前記２つの第２スロット構造は互いに摺動可能に組合わさる。然しながら、上述した「前記２つの第１スロット構造と前記２つの第２スロット構造の組合せ」については例示としているに過ぎず、前記レンズユニット４ａは如何なる組合せ方法によっても取り外し可能に前記発光ユニット２ａの上方に設置することができる。
【０００９】
前記プラグユニット６ａは前記レンズユニット４ａの側辺に設置されて前記発光ユニット２ａに電気的に接続する（図１Ｃの破線参照）。前記プラグユニット６ａは２個のプラグコネクタ６０ａを具備し、各プラグコネクタ６０ａはプラグ本体６００ａ、前記プラグ本体６００ａ内に成形され前記レンズユニット４ａを収納する第１収納スペース６０１ａ、前記プラグ本体６００ａ内に成形される第２収納スペース６０２ａ及び前記プラグ本体６００ａから下方向に延伸させて出した少なくとも一つのプラグピン６０３ａを具備する。前記発光ユニット２ａは導線Ｗ又は何等かの方法によって、前記第２収納スペース６０２ａの開口を貫通して、前記プラグピン６０３ａの一端に電気接続する（図１Ｃの破線参照）。
【００１０】
前記コンセントユニット８ａは前記プラグユニット６ａの底端に設置されて前記プラグユニット６ａと電気的に接続する。前記コンセントユニット８ａはそれぞれ前記２個のプラグコネクタ６０ａに対応する２個のコンセントコネクタ８０ａを具備し、各コンセントコネクタ８０ａはコンセント本体８００ａ、前記コンセント本体８００ａの一側に設置され前記係止構造Ｒａに適合する係止部８０１ａ及び前記コンセント本体８００ａ内に設置されて電気仕様に対応するプラグピン６０３ａを受けるための少なくとも一つのコンセント孔８０２ａを具備する。第１実施例では前記係止部８０１ａは前記発光ユニット２ａの係止構造Ｒａ内に収納され係止する。
【００１１】
図１Ｄに示すように、前記発光ユニット２ａは前記２つの内凹係止部２２０ａを通じて逆さ方式で係止フックユニット９ａ内に係止する。例を挙げると、ユーザーが本考案の直立式電気接続用のカスタマイズユニット式発光モジュールを天井板（壁又は何等かの物体でも可）に設置しようとする場合、ユーザーは前記２つの内凹係止部２２０ａによりそれぞれ上述の事前に前記天井板に固定された係止フックユニット９ａの２つの係止フック構造９０ａの係止部と組合わさって、記発光ユニット２ａが逆さ方式で前記２つの係止フック構造９０ａの間に係止される。前記係止構造Ｒａは前記係止フック構造９０ａ内に埋蔵されて、前記レンズ４０ａは前記係止フックユニット９ａの外部に露出する。従って、前記発光素子２１ａから生じる光源Ｓは前記レンズ４０ａを貫通して下方向に投光する方法でユーザーが必要とする照明効果（予め設定した投光角度の投射光源Ｐ１）を生じ、前記レンズ４０ａの交換に伴い異なる投光角度が得られる。
【００１２】
図１Ｅに示すのは、本考案の直立式電気接続用のカスタマイズユニット式発光モジュールの第１実施例の分解斜視概略図（２個のプラグピンと２個のコンセント孔を使用）である。上記図面から分かるように、各プラグコネクタ６０ａ’は前記プラグ本体６００ａから下方向に凸伸させて出した２個のプラグピン（６０３ａ’、６０４ａ’）を具備する。前記発光ユニット２ａは導線（図示せず）又は何等かの方法によって、前記第２収納スペース６０２ａ’の開口を貫通して、それぞれ前記プラグピン（６０３ａ’、６０４ａ’）の一端に電気接続する。さらに、各コンセントコネクタ８０ａ’は前記コンセント本体８００ａ’内設置されて電気仕様に対応する２個のプラグピン（６０３ａ’、６０４ａ’） を受けるための２つのコンセント孔（８０２ａ’、８０３ａ’）を具備する。
【００１３】
こうして、２個のプラグピン（６０３ａ’、６０４ａ’）と２つのコンセント孔（８０２ａ’、８０３ａ’）を組合せることによって、前記発光ユニット２ａの発光周波数、発光強度又はカラー変化等を制御して、本考案のカスタマイズユニット式発光モジュールは多様化した発光効果を生じることができる。然しながら、上記に開示した２個のプラグピン（６０３ａ’、６０４ａ’）と２つのコンセント孔（８０２ａ’、８０３ａ’）は例示用に過ぎず、本考案はまた多数のプラグピンや多数のコンセント孔を使用して組合せることもできる。
【００１４】
図２Ａ乃至図２Ｃに示すように、本考案の第２実施例の直立式電気接続用のカスタマイズユニット式発光モジュールは、発光ユニット２ｂ、レンズユニット４ｂ、プラグユニット６ｂ、コンセントユニット８ｂからなる。
【００１５】
前記発光ユニット２ｂは回路基板２０ｂ、前記回路基板２０ｂ下端に位置して前記コンセントユニット８ｂと組み合さる係止構造Ｒｂ、前記回路基板２０ｂ下端に位置して前記コンセントユニットと組み合さる係止構造、前記回路基板２０ｂ上に電気的に設置した複数個の発光素子２１ｂ及び前記回路基板２０ｂの底端からそれぞれ上方向に延伸させた２つの第１係止構造２２ｂを具備する。
【００１６】
前記レンズユニット４ｂはレンズ４０ｂと前記レンズ４０ｂの２つの相反する側端から下方向に延伸させた２つの第２係止構造４１ｂを具備し、各第２係止構造４１ｂの外側には内凹係止部４１０ｂを具備する。前記２つの第２係止構造４１ｂは前記２つの第１係止構造２２ｂに対応する。従って、前記レンズユニット４ｂは前記２つの第１係止構造２２ｂと前記２つの第２係止構造４１ｂとを組み合わせて取り外し可能に前記発光ユニット２ｂの上方に設置する。第２実施例では、前記２つの第１係止構造２２ｂはそれぞれ２つの向かい合う第１スロット構造であり、前記２つの第２係止構造４１ｂはそれぞれ２つの背にした第２スロット構造であり、前記２つの第１スロット構造と前記２つの第２スロット構造は互いに摺動可能に組合わさる。
【００１７】
前記プラグユニット６ｂは前記レンズユニット４ｂの側辺に設置されて前記発光ユニット２ｂに電気的に接続する。前記プラグユニット６ｂは２個のプラグコネクタ６０ｂを具備し、各プラグコネクタ６０ｂはプラグ本体６００ｂ、前記プラグ本体６００ｂ内に成形され前記レンズユニット４ｂを収納する第１収納スペース６０１ｂ、前記プラグ本体６００ｂ内に成形される第２収納スペース６０２ｂ及び前記プラグ本体６００ｂから下方向に凸伸させて出した少なくとも一つのプラグピン６０３ｂを具備する。前記発光ユニット２ｂは導線（図示せず）又は何等かの方法によって、前記第２収納スペース６０２ｂの開口を貫通して、前記プラグピン６０３ｂの一端に電気接続する。
【００１８】
前記コンセントユニット８ｂは前記プラグユニット６ｂの底端に設置されて前記プラグユニット６ｂと電気的に接続する。前記コンセントユニット８ｂはそれぞれ前記２個のプラグコネクタ６０ｂに対応する２個のコンセントコネクタ８０ｂを具備し、各コンセントコネクタ８０ｂはコンセント本体８００ｂ、前記コンセント本体８００ｂの一側に設置され前記係止構造Ｒｂに適合する係止部８０１ｂ及び前記コンセント本体８００ｂ内に設置されて電気仕様に対応するプラグピン６０３ｂを受けるための少なくとも一つのコンセント孔８０２ｂを具備する。第２実施例では前記係止部８０１ｂは前記発光ユニット２ｂの係止構造Ｒｂ内に収納され係止する。
【００１９】
図２Ｃで示すように、前記レンズユニット４ｂは前記２つの内凹係止部４１０ｂを通じて逆さ方式で係止フックユニット９ｂの下端に係止する。例を挙げると、ユーザーが本考案の直立式電気接続用のカスタマイズユニット式発光モジュールを天井板（壁又は何等かの物体でも可）に設置しようとする場合、ユーザーは前記２つの内凹係止部４１０ｂによりそれぞれ上述の事前に前記天井板に固定された係止フックユニット９ｂの２つの係止フック構造９０ｂの係止部と組合わさって、前記発光ユニット２ｂが逆さ方式で前記２つの係止フック構造９０ｂの間に係止される。前記発光素子２１ｂは前記係止フックユニット９ｂ内に埋蔵されて、前記レンズ４０ｂは前記係止フックユニット９ｂの外部に露出する。従って、前記発光素子２１ｂから生じる光源Ｓは前記レンズ４０ｂを貫通して下方向に投光する方法でユーザーが必要とする照明効果（予め設定した投光角度の投射光源Ｐ２）を生じ、前記レンズ４０ｂの交換に伴い異なる投光角度が得られる。
【００２０】
図２Ｄは本考案の直立式電気接続用のカスタマイズユニット式発光モジュールの第２実施例の分解斜視概略図（２個のプラグピンと２個のコンセント孔を使用）である。上記図面から以下のことが分かる。各プラグコネクタ６０ｂ’は前記プラグ本体６００ｂ’から下方向に凸伸させて出した２個のプラグピン（６０３ｂ’、６０４ｂ’）を具備する。前記発光ユニット２ｂは導線（図示せず）又は何等かの方法によって、前記第２収納スペース６０２ｂ’の開口を貫通して、それぞれ前記プラグピン（６０３ｂ’、６０４ｂ’）の一端に電気接続する。さらに、各コンセントコネクタ８０ｂ’は前記コンセント本体８００ｂ’内設置されて電気仕様に対応する２個のプラグピン（６０３ｂ’、６０４ｂ’） を受けるための２つのコンセント孔（８０２ｂ’、８０３ｂ’）を具備する。
【００２１】
こうして、２個のプラグピン（６０３ｂ’、６０４ｂ’）と２つのコンセント孔（８０２ｂ’、８０３ｂ’）を組合せることによって、前記発光ユニット２ｂの発光周波数、発光強度又はカラー変化等を制御して、本考案のカスタマイズユニット式発光モジュールは多様化した発光効果を生じることができる。然しながら、上記に開示した２個のプラグピン（６０３ｂ’、６０４ｂ’）と２つのコンセント孔（８０２ｂ’、８０３ｂ’）は例示用に過ぎず、本考案はまた多数のプラグピンや多数のコンセント孔を使用して組合せることもできる。
【００２２】
図３Ａ乃至図３Ｃに示すように、本考案の第３実施例の直立式電気接続用のカスタマイズユニット式発光モジュールは、発光ユニット２ｃ、レンズユニット４ｃ、第１係止台座Ｒ１ｃ、第２係止台座Ｒ２ｃ、プラグユニット６ｃ及びコンセントユニット８ｃからなる。
【００２３】
回路基板２０ｃ、前記回路基板２０ｃ上に電気的に設置した複数個の発光素子２１ｃ及び前記回路基板２０ｃの２つの相反する側端に形成された第１係止構造２２ｃを具備する前記発光ユニット２ｃは前記第１係止台座Ｒ１ｃに係止される。
【００２４】
前記レンズユニット４ｃは中空透明構造４ｃ’、前記中空透明構造４ｃ’と一体成形されるレンズ４０ｃ及び前記中空透明構造４ｃ’の内表面に成形された第２係止構造４１ｃからなり、前記レンズ４０ｃは前記中空透明構造４ｃ’の頂部に設置されて前記発光ユニット２ｃの上方に位置する。前記２つの第２係止構造４１ｃは前記２つの第１係止構造２２ｃに対応する。従って、前記レンズユニット４ｃは前記２つの第１係止構造２２ｃと前記２つの第２係止構造４１ｃとを組み合わせて取り外し可能に前記中空透明構造４ｃ’内に設置する。第３実施例では、前記２つの第１係止構造２２ｃは背にした形式であり、前記２つの第２係止構造４１ｃは向かい合って前記中空透明構造４ｃ’の内表面に成形されて、前記２つの第１係止構造２２ｃと前記２つの第２係止構造４１ｃは互いに摺動可能に組合わさる。
【００２５】
前記第１係止台座Ｒ１ｃは前記中空透明構造４ｃ’の下端に設置され、前記第１係止台座Ｒ１ｃの２つの相反する側端はそれぞれ内凹係止部Ｒ１０ｃを具備する。前記第２係止台座Ｒ２ｃは前記第１係止台座Ｒ１ｃの下端に設置され、前記中空透明構造４ｃ’は前記第１係止台座Ｒ１ｃの上端に係止され、前記第１係止台座Ｒ１ｃは前記第２係止台座Ｒ２ｃの上端に係止される。
【００２６】
前記プラグユニット６ｃは前記レンズユニット４ｃの側辺に設置されて前記発光ユニット２ｃに電気的に接続する。前記プラグユニット６ｃは２個のプラグコネクタ６０ｃを具備し、各プラグコネクタ６０ｃはプラグ本体６００ｃ、前記プラグ本体６００ｃ内に成形され前記レンズユニット４ｃを収納する第１収納スペース６０１ｃ及び前記プラグ本体６００ｃから下方向に凸伸させて出した少なくとも一つのプラグピン６０３ｃを具備する。前記発光ユニット２ｃは導線（図示せず）又は何等かの方法によって、前記第１収納スペース６０１ｃの開口を貫通して、前記プラグピン６０３ｃの一端に電気接続する。
【００２７】
前記コンセントユニット８ｃは前記プラグユニット６ｃの底端に設置されて前記プラグユニット６ｃと電気的に接続する。前記コンセントユニット８ｃはそれぞれ前記２個のプラグコネクタ６０ｃに対応する２個のコンセントコネクタ８０ｃを具備し、各コンセントコネクタ８０ｃはコンセント本体８００ｃ、前記コンセント本体８００ｃの一側に設置され、前記第２係止台座Ｒ２ｃに適合する係止部８０１ｃ及び前記コンセント本体８００ｃ内に設置されて、電気仕様に対応するプラグピン６０３ｃを受けるための少なくとも一つのコンセント孔８０２ｃを具備する。第３実施例では前記係止部８０１ｃは前記発光ユニット２ｃの前記第２係止台座Ｒ２ｃ内に収納され係止する。
【００２８】
図３Ｃで示すように、前記レンズユニット４ｃは前記２つの内凹係止部Ｒ１０ｃを通じて逆さ方式で係止フックユニット９ｃの下端に係止する。例を挙げると、ユーザーが本考案の直立式電気接続用のカスタマイズユニット式発光モジュールを天井板（壁又は何等かの物体でも可）に設置しようとする場合、ユーザーは前記２つの内凹係止部Ｒ１０ｃによりそれぞれ上述の事前に前記天井板に固定された係止フックユニット９ｃの２つの係止フック構造９０ｃの係止部と組合わさって、前記発光ユニット２ｃが逆さ方式で前記２つの係止フック構造９０ｃの間に係止される。従って、前記発光素子２１ｃから生じる光源は前記レンズ４０ｃを貫通して下方向に投光する方法でユーザーが必要とする照明効果（予め設定した投光角度の投射光源Ｐ３）を生じ、前記レンズ４０ｃの交換に伴い異なる投光角度が得られる。
【００２９】
図３Ｄで示すように、各プラグコネクタ６０ｃ’は前記プラグ本体６００ｃ’から下方向に凸伸させて出した２個のプラグピン（６０３ｃ’、６０４ｃ’）を具備する。前記発光ユニット２ｃは導線（図示せず）又は何等かの方法によって、前記第１収納スペース６０１ｃ’の開口を貫通して、それぞれ前記プラグピン（６０３ｃ’、６０４ｃ’）の一端に電気接続する。さらに、各コンセントコネクタ８０ｃ’は前記コンセント本体８００ｃ’内に設置されて電気仕様に対応する２個のプラグピン（６０３ｃ’、６０４ｃ’） を受けるための２つのコンセント孔（８０２ｃ’、８０３ｃ’）を具備する。
【００３０】
こうして、２個のプラグピン（６０３ｃ’、６０４ｃ’）と２つのコンセント孔（８０２ｃ’、８０３ｃ’）を組合せることによって、前記発光ユニット２ｃの発光周波数、発光強度又はカラー変化等を制御して、本考案のカスタマイズユニット式発光モジュールは多様化した発光効果を生じることができる。然しながら、上記に開示した２個のプラグピン（６０３ｃ’、６０４ｃ’）と２つのコンセント孔（８０２ｃ’、８０３ｃ’）は例示用に過ぎず、本考案はまた多数のプラグピンや多数のコンセント孔を使用して組合せることもできる。
【００３１】
以上のように、本考案の直立式電気接続用のカスタマイズユニット式発光モジュールの長所は次の通りである。
【００３２】
１.前記発光ユニットが入れ替え可能によって、ユーザーが必要とする発光効果に応じて、それぞれに異なる間隔、カラー、個数、効率の発光素子を選択することができる。
【００３３】
2. 前記レンズユニットが入れ替え可能によって（前記レンズユニットは前記２つの第１係止構造と前記２つの第２係止構造とを組み合わせて取り外し可能に前記発光ユニットの上方に設置する）、ユーザーが必要とする投光角度に応じて異なるレンズを選択することができる。
【００３４】
３.第１実施例において、前記発光ユニット２ａは前記２つの内凹係止部２２０ａを通じて逆さ方式で係止フックユニット９ａ内に係止する。従って、前記発光素子２１ａから生じる光源Ｓは前記レンズ４０ａを貫通して下方向に投光する方法でユーザーが必要とする照明効果（予め設定した投光角度の投射光源Ｐ１）を生じる。
【００３５】
４.第２実施例において、前記レンズユニット４ｂは前記２つの内凹係止部４１０ｂを通じて逆さ方式で係止フックユニット９ｂの下端に係止する。従って、前記発光素子２１ｂから生じる光源Ｓは前記レンズ４０ｂを貫通して下方向に投光する方法でユーザーが必要とする照明効果（予め設定した投光角度の投射光源Ｐ2）を生じる。
【００３６】
５.第３実施例において、前記２つの第２係止構造４１ｃは前記２つの第１係止構造２２ｃに対応する。従って、前記レンズユニット４ｃは前記２つの第１係止構造２２ｃと前記２つの第２係止構造４１ｃとを組み合わせて取り外し可能に前記中空透明構造４ｃ’内に設置する。
【００３７】
６.前記プラグユニット（プラグピン）と前記コンセントユニット（コンセント孔）の組合せにより本考案のカスタマイズユニット式発光モジュールが直立式（垂直方向）に電気接続することが可能となる。
【００３８】
以上の内容は本考案の最良の具体的実施例の詳細説明、図面に過ぎず、本考案の特徴はこれに限られることなく、本考案に制限を課すものではない。
【図面の簡単な説明】
【００３９】
【図１Ａ】本考案の第１実施例の分解斜視概略図（１個のプラグピンと１個のコンセント孔を使用）である。
【図１Ｂ】本考案の第１実施例の組合せ斜視概略図（このうちプラグユニットとコンセントユニットはオン状態）である。
【図１Ｃ】本考案の第１実施例の側面概略図である。
【図１Ｄ】本考案の第１実施例の発光ユニットが係止フックユニット内に係止された概略図である。
【図１Ｅ】本考案の第１実施例の分解斜視概略図（２個のプラグピンと２個のコンセント孔を使用）である。
【図２Ａ】本考案の第２実施例の分解斜視概略図（１個のプラグピンと１個のコンセント孔を使用）である。
【図２Ｂ】本考案の第２実施例の組合せ斜視概略図（このうちプラグユニットとコンセントユニットはオン状態）である。
【図２Ｃ】本考案の第２実施例のレンズユニットが係止フックユニットの下端に係止された概略図である。
【図２Ｄ】本考案の第２実施例の分解斜視概略図（２個のプラグピンと２個のコンセント孔を使用）である。
【図３Ａ】本考案の第３実施例の分解斜視概略図（１個のプラグピンと１個のコンセント孔を使用）である。
【図３Ｂ】本考案の第３実施例の組合せ斜視概略図（このうちプラグユニットとコンセントユニットはオン状態）である。
【図３Ｃ】本考案の第３実施例のレンズユニットが係止フックユニットの下端に係止された概略図である。
【図３Ｄ】本考案の第３実施例の分解斜視概略図（２個のプラグピンと２個のコンセント孔を使用）である。
【符号の説明】
【００４０】
（第1実施例）
２ａ      発光ユニット
２０ａ    回路基板
２１ａ    発光素子
２２ａ    第１係止構造
２２０ａ  内凹係止部
Ｒａ      係止構造
４ａ      レンズユニット
４０ａ    レンズ
４１ａ    第２係止構造
６ａ      プラグユニット
６０ａ    プラグコネクタ
６００ａ  プラグ本体
６０１ａ  第1収納スペース
６０２ａ  第２収納スペース
６０３ａ  プラグピン
Ｗ        導線
８ａ      コンセントユニット
８０ａ    コンセントコネクタ
８００ａ  コンセント本体
８０１ａ  係止部
８０２ａ  コンセント孔
９ａ      係止フックユニット
９０ａ    係止フック構造
Ｓ        光源
Ｐ１      投射光源
６０ａ’    プラグコネクタ
６００ａ’  プラグ本体
６０２ａ’  第２収納スペース
６０３ａ’  プラグピン
６０４ａ’  プラグピン
８０ａ’    コンセントコネクタ
８００ａ’  コンセント本体
８０２ａ’  コンセント孔
８０３ａ’  コンセント孔
（第２実施例）
２ｂ      発光ユニット
２０ｂ    回路基板
２１ｂ    発光素子
２２ｂ    第１係止構造
Ｒｂ      係止構造
４ｂ      レンズユニット
４０ｂ    レンズ
４１ｂ    第２係止構造
４１０ｂ  内凹係止部
６ｂ      プラグユニット
６０ｂ    プラグコネクタ
６００ｂ  プラグ本体
６０１ｂ  第１収納スペース
６０２ｂ  第２収納スペース
６０３ｂ  プラグピン
８ｂ      コンセントユニット
８０ｂ    コンセントコネクタ
８００ｂ  コンセント本体
８０１ｂ  係止部
８０２ｂ  コンセント孔
９ｂ      係止フックユニット
９０ｂ    係止フック構造
Ｓ        光源
Ｐ２      投射光源
６０ｂ’    プラグコネクタ
６００ｂ’  プラグ本体
６０２ｂ’  第２収納スペース
６０３ｂ’  プラグピン
６０４ｂ’  プラグピン
８０ｂ’    コンセントコネクタ
８００ｂ’  コンセント本体
８０２ｂ’  コンセント孔
８０３ｂ’  コンセント孔
（第３実施例）
２ｃ      発光ユニット
２０ｃ    回路基板
２１ｃ    発光素子
２２ｃ    第１係止構造
４ｃ      レンズユニット
４ｃ’    中空透明構造
４０ｃ’  内表面
４０ｃ    レンズ
４１ｃ    第２係止構造
Ｒ１ｃ    第１係止台座
Ｒ１０ｃ  内凹係止部
Ｒ２ｃ    第２係止台座
６ｃ      プラグユニット
６０ｃ    プラグコネクタ
６００ｃ  プラグ本体
６０１ｃ  第１収納スペース
６０３ｃ  プラグピン
８ｃ      コンセントユニット
８０ｃ    コンセントコネクタ
８００ｃ  コンセント本体
８０１ｃ  係止部
８０２ｃ  コンセント孔
９ｃ      係止フックユニット
９０ｃ    係止フック構造
Ｐ３      投射光源
６０ｃ’    プラグコネクタ
６００ｃ’  プラグ本体
６０１ｃ’  第１収納スペース
６０３ｃ’  プラグピン
６０４ｃ’  プラグピン
８０ｃ’    コンセントコネクタ
８００ｃ’  コンセント本体
８０２ｃ’  コンセント孔
８０３ｃ’  コンセント孔
【図１Ａ】
0003147703.tif 000003
【図１Ｂ】
0003147703.tif 000004
【図１Ｃ】
0003147703.tif 000005
【図１Ｄ】
0003147703.tif 000006
【図１Ｅ】
0003147703.tif 000007
【図２Ａ】
0003147703.tif 000008
【図２Ｂ】
0003147703.tif 000009
【図２Ｃ】
0003147703.tif 000010
【図２Ｄ】
0003147703.tif 000011
【図３Ａ】
0003147703.tif 000012
【図３Ｂ】
0003147703.tif 000013
【図３Ｃ】
0003147703.tif 000014
【図３Ｄ】
0003147703.tif 000015